(57)【要約】  本発明は、通信端末から得られた情報から有用な情報を選択してユーザに提示することが可能な表示制御装置および表示制御方法を提供することを目的とする。本発明による表示制御装置は、通信端末と通信接続可能な表示制御装置であって、通信端末と通信を行う通信インタフェース部と、内部コンテンツを生成するためのデータを取得するデータ取得部と、データ取得部で取得されたデータに基づいて内部コンテンツを生成する内部コンテンツ生成部と、表示制御装置に接続可能な表示器に表示する表示データを生成する表示データ生成部と、内部コンテンツと同一または関連するカテゴリの外部コンテンツを通信端末から取得するように通信インタフェース部を制御し、予め定められた条件で選択した外部コンテンツを内部コンテンツに統合させた表示データを生成するように表示データ生成部を制御する制御部とを備える。
2016207996.tif 000002
【特許請求の範囲】
【請求項１】
通信端末と通信接続可能な表示制御装置であって、
前記通信端末と通信を行う通信インタフェース部と、
内部コンテンツを生成するためのデータを取得するデータ取得部と、
前記データ取得部で取得された前記データに基づいて前記内部コンテンツを生成する内部コンテンツ生成部と、
前記表示制御装置に接続可能な表示器に表示する表示データを生成する表示データ生成部と、
前記内部コンテンツと同一または関連するカテゴリの外部コンテンツを前記通信端末から取得するように前記通信インタフェース部を制御し、予め定められた条件で選択した前記外部コンテンツを前記内部コンテンツに統合させた前記表示データを生成するように前記表示データ生成部を制御する制御部と、
を備える、表示制御装置。
【請求項２】
前記制御部は、前記外部コンテンツを前記内部コンテンツの対応する位置に統合させて表示するように前記表示データ生成部を制御することを特徴とする、請求項１に記載の表示制御装置。
【請求項３】
前記制御部は、前記内部コンテンツと前記外部コンテンツとを区別可能に視認できるように前記表示データ生成部を制御することを特徴とする、請求項１に記載の表示制御装置。
【請求項４】
前記制御部は、前記外部コンテンツに含まれる情報のうちの優先度が高い情報を強調するように前記表示データ生成部を制御することを特徴とする、請求項１に記載の表示制御装置。
【請求項５】
前記通信端末は複数であることを特徴とする、請求項１に記載の表示制御装置。
【請求項６】
前記予め定められた条件は、前記通信端末の採用率であることを特徴とする、請求項５に記載の表示制御装置。
【請求項７】
前記予め定められた条件は、前記外部コンテンツを検索するアプリケーションソフトの採用率であることを特徴とする、請求項１に記載の表示制御装置。
【請求項８】
前記予め定められた条件は、アプリケーションソフトによって検索された前記外部コンテンツが各前記通信端末間で重複する割合であることを特徴とする、請求項５に記載の表示制御装置。
【請求項９】
前記外部コンテンツは、ＰＯＩ、現在位置から目的地までの経路、または音楽のうちのいずれかであることを特徴とする、請求項１に記載の表示制御装置。
【請求項１０】
前記制御部は、ユーザが指示した箇所のみに前記外部コンテンツを表示するように前記表示データ生成部を制御することを特徴とする、請求項１に記載の表示制御装置。
【請求項１１】
外部の情報である外部情報を取得する外部情報取得部をさらに備え、
前記制御部は、前記外部情報取得部で取得された前記外部情報を前記表示器に表示しない場合において、前記外部情報を前記通信端末に送信するように前記通信インタフェース部を制御することを特徴とする、請求項１に記載の表示制御装置。
【請求項１２】
通信端末と通信接続可能な表示制御装置の表示制御方法であって、
前記通信端末と通信を行い、
内部コンテンツを生成するためのデータを取得し、
前記取得した前記データに基づいて前記内部コンテンツを生成し、
前記表示制御装置に接続可能な表示器に表示する表示データを生成し、
前記内部コンテンツと同一または関連するカテゴリの外部コンテンツを前記通信端末から取得するように制御し、予め定められた条件で選択した前記外部コンテンツを前記内部コンテンツに統合させた前記表示データを生成するように制御する、表示制御方法。
【発明の詳細な説明】
【技術分野】
【０００１】
本発明は、通信端末から取得したコンテンツからユーザにとって有用なコンテンツを選択して表示する表示制御装置および表示制御方法に関する。
【背景技術】
【０００２】
従来、ミラーリンクに代表されるように、通信端末と車載装置とが連携し、通信端末のコンテンツ（情報、サービス）を車載装置の表示器に表示して利用する技術が提案されている。当該技術では、表示器に対する車載装置のコンテンツの表示、または表示器に対する通信端末のコンテンツの表示を切り替えていた。【０００３】
また、従来、通信端末が有する電話帳に含まれる名称を地図上で補完する技術が開示されている（例えば、特許文献１参照）。通信端末から得られた情報を強調して表示する技術が開示されている（例えば、特許文献２参照）。通信端末の経路探索の結果と、ナビゲーション装置の経路探索の結果とを比較していずれかの経路を選択する技術が開示されている（例えば、特許文献３参照）。
【先行技術文献】
【特許文献】
【０００４】
【特許文献１】特開２００５−３４３１号公報
【特許文献２】特開２００９−２２２５０３号公報
【特許文献３】特開２０１３−６１３４３号公報
【発明の概要】
【発明が解決しようとする課題】
【０００５】
従来では、車載装置と通信端末とが１対１で連携しており、車載装置が通信端末から得られる情報の種類は限られていた。従って、従来の車載装置では、必ずしも通信端末から得られた情報から有用な情報を選択してユーザに提示しているとはいえなかった。【０００６】
本発明は、このような問題を解決するためになされたものであり、通信端末から得られた情報から有用な情報を選択してユーザに提示することが可能な表示制御装置および表示制御方法を提供することを目的とする。
【課題を解決するための手段】
【０００７】
上記の課題を解決するために、本発明による表示制御装置は、通信端末と通信接続可能な表示制御装置であって、通信端末と通信を行う通信インタフェース部と、内部コンテンツを生成するためのデータを取得するデータ取得部と、データ取得部で取得されたデータに基づいて内部コンテンツを生成する内部コンテンツ生成部と、表示制御装置に接続可能な表示器に表示する表示データを生成する表示データ生成部と、内部コンテンツと同一または関連するカテゴリの外部コンテンツを通信端末から取得するように通信インタフェース部を制御し、予め定められた条件で選択した外部コンテンツを内部コンテンツに統合させた表示データを生成するように表示データ生成部を制御する制御部とを備える。【０００８】
また、本発明による表示制御方法は、通信端末と通信接続可能な表示制御装置の表示制御方法であって、通信端末と通信を行い、内部コンテンツを生成するためのデータを取得し、取得したデータに基づいて内部コンテンツを生成し、表示制御装置に接続可能な表示器に表示する表示データを生成し、内部コンテンツと同一または関連するカテゴリの外部コンテンツを通信端末から取得するように制御し、予め定められた条件で選択した外部コンテンツを内部コンテンツに統合させた表示データを生成するように制御する。
【発明の効果】
【０００９】
本発明によると、表示制御装置は、通信端末と通信接続可能な表示制御装置であって、通信端末と通信を行う通信インタフェース部と、内部コンテンツを生成するためのデータを取得するデータ取得部と、データ取得部で取得されたデータに基づいて内部コンテンツを生成する内部コンテンツ生成部と、表示制御装置に接続可能な表示器に表示する表示データを生成する表示データ生成部と、内部コンテンツと同一または関連するカテゴリの外部コンテンツを通信端末から取得するように通信インタフェース部を制御し、予め定められた条件で選択した外部コンテンツを内部コンテンツに統合させた表示データを生成するように表示データ生成部を制御する制御部とを備えるため、通信端末から得られた情報から有用な情報を選択してユーザに提示することが可能となる。【００１０】
また、表示制御方法は、通信端末と通信接続可能な表示制御装置の表示制御方法であって、通信端末と通信を行い、内部コンテンツを生成するためのデータを取得し、取得したデータに基づいて内部コンテンツを生成し、表示制御装置に接続可能な表示器に表示する表示データを生成し、内部コンテンツと同一または関連するカテゴリの外部コンテンツを通信端末から取得するように制御し、予め定められた条件で選択した外部コンテンツを内部コンテンツに統合させた表示データを生成するように制御するため、通信端末から得られた情報から有用な情報を選択してユーザに提示することが可能となる。【００１１】
本発明の目的、特徴、態様、および利点は、以下の詳細な説明と添付図面とによって、より明白となる。
【図面の簡単な説明】
【００１２】
【図１】本発明の実施の形態１による表示制御装置の構成の一例を示すブロック図である。
【図２】本発明の実施の形態１による表示制御装置と通信端末との関係の一例を示す図である。
【図３】本発明の実施の形態１による表示制御装置と通信端末との関係の一例を示す図である。
【図４】本発明の実施の形態１による表示制御装置の構成の一例を示すブロック図である。
【図５】本発明の実施の形態１による表示制御装置のハードウェア構成の一例を示す図である。
【図６】本発明の実施の形態１による表示制御装置の動作の一例を示すフローチャートである。
【図７】本発明の実施の形態１による通信端末の動作の一例を示すフローチャートである。
【図８】本発明の実施の形態１による表示制御装置および通信端末の動作の一例を示す図である。
【図９】本発明の実施の形態１による表示制御装置および通信端末の動作の他の一例を示す図である。
【図１０】本発明の実施の形態１による表示制御装置および通信端末の動作の他の一例を示す図である。
【図１１】本発明の実施の形態１による表示制御装置および通信端末の動作の他の一例を示す図である。
【図１２】本発明の実施の形態１による表示制御装置および通信端末の動作の他の一例を示す図である。
【図１３】本発明の実施の形態２による表示制御装置の構成の一例を示すブロック図である。
【図１４】本発明の実施の形態２による表示制御装置の動作の一例を示すフローチャートである。
【図１５】本発明の実施の形態２による通信端末の動作の一例を示すフローチャートである。
【図１６】本発明の実施の形態２による表示制御装置および通信端末の動作の一例を示す図である。
【図１７】本発明の実施の形態２による表示制御装置および通信端末の動作の他の一例を示す図である。
【図１８】本発明の実施の形態２による表示制御装置および通信端末の動作の他の一例を示す図である。
【図１９】本発明の実施の形態による表示制御システムの構成の一例を示すブロック図である。
【発明を実施するための形態】
【００１３】
本発明の実施の形態について、図面に基づいて以下に説明する。
【００１４】
＜実施の形態１＞
まず、本発明の実施の形態１による表示制御装置の構成について説明する。
【００１５】
図１は、本実施の形態１による表示制御装置１の構成の一例を示すブロック図である。なお、図１では、本実施の形態１による表示制御装置を構成する必要最小限の構成要素を示している。また、表示制御装置１は、車両に搭載されているものとする。
【００１６】
図１に示すように、表示制御装置１は、操作入力部２と、データ取得部３と、制御部４と、通信インタフェース部６と、表示データ生成部７と、表示インタフェース部８とを備えている。また、操作入力部２は操作部９に接続され、データ取得部３はデータベース１０に接続され、表示インタフェース部８は表示器１２に接続されている。
【００１７】
操作入力部２は、操作部９に対するユーザの操作を受け付ける。ここで、操作部９としては、例えばタッチパネル、タッチパッド、リモコン、ソフトウェアキー、ハードウェアキー、マイク等が挙げられる。なお、操作部９がタッチパネルである場合において、操作部９と表示器１２とは一体であってもよい。
【００１８】
データ取得部３は、制御部４の指示に従って、表示制御装置１で使用するデータ（具体的には、後述する内部コンテンツを生成するためのデータ）をデータベース１０から取得する。データベース１０は、例えばハードディスク（HDD：Hard Disk Drive）または半導体メモリ等の記憶装置から構成されており、例えば地図情報、ＰＯＩ（Point Of Interest）情報等を格納している。ＰＯＩ情報は、施設情報、位置情報、施設の営業時間の情報等を含んでいる。なお、データベース１０は、表示制御装置１の外部に設けられてもよく（図１参照）、内部に設けられてもよい。
【００１９】
制御部４は、表示制御装置１の全体を制御する。また、制御部４は、内部コンテンツ生成部５を備えている。内部コンテンツ生成部５は、データ取得部３で取得されたデータに基づいて内部コンテンツを生成する。内部コンテンツとは、表示器１２に表示するために、データベース１０に格納されたデータを用いて生成されたコンテンツのことをいう。
【００２０】
通信インタフェース部６は、外部の通信端末１１と通信を行うためのインタフェースである。通信端末１１との通信は、例えば有線による通信であってもよく、無線による通信であってもよい。なお、無線による通信は、Ｂｌｕｅｔｏｏｔｈ（登録商標）またはＮＦＣ（Near Field Communication）等を含む。
【００２１】
制御部４は、通信インタフェース部６を介して、通信端末１１から内部コンテンツと同一または関連するカテゴリの外部コンテンツを取得する。外部コンテンツとは、通信端末１１から取得するコンテンツのことをいう。ここで、同一または関連するカテゴリについて説明する。コンテンツは、例えば経路、ＰＯＩ等のカテゴリを有している。また、ＰＯＩは、レストラン、観光地等のカテゴリを有している。さらに、レストランは、イタリアン、和食、中華等のカテゴリを有している。このように、コンテンツは、同一階層に複数のカテゴリを有し、各カテゴリの下位階層に複数のカテゴリを有している。例えば、イタリアンレストランのカテゴリの場合、その同一カテゴリはイタリアンレストランであり、関連カテゴリは例えば和食レストランである。また、レストランのカテゴリの場合、その関連カテゴリは例えば観光地である。
【００２２】
表示データ生成部７は、制御部４の制御によって、表示器１２に表示するデータである表示データを生成する。具体的には、表示データ生成部７は、通信端末１１から取得した外部コンテンツのうち制御部４が予め定められた条件で選択した外部コンテンツを、内部コンテンツ生成部５で生成された内部コンテンツの対応する位置に統合させた表示データを生成する。
【００２３】
表示インタフェース部８は、表示データ生成部７で生成された表示データを表示器１２に表示するためのインタフェースである。表示データ生成部７で生成された表示データは、表示インタフェース部８を介して表示器１２に表示される。
【００２４】
通信端末１１としては、例えば外部から種々の情報の取得が可能なスマートフォンまたはタブレットＰＣ（Personal Computer）等の通信端末、またはＮＦＣの機能のみを有する通信端末等が挙げられる。図１の例では、通信端末１１は１つであるが、複数であってもよい。図２，３は、表示制御装置１と通信端末１１との関係の一例を示す図である。図２に示すように、表示制御装置１は、複数の通信端末１１と通信可能に接続するようにしてもよい。また、図３に示すように、表示制御装置１は、１つの通信端末１１と通信可能に接続され、当該１つの通信端末１１が他の複数の通信端末１１と通信可能に接続するようにしてもよい。すなわち、当該１つの通信端末１１は、他の複数の通信端末１１を代表して表示制御装置１と通信可能に接続される。
【００２５】
次に、図１に示す操作入力部２、データ取得部３、制御部４、内部コンテンツ生成部５、通信インタフェース部６、表示データ生成部７、および表示インタフェース部８を含む表示制御装置１の他の構成について説明する。
【００２６】
図４は、表示制御装置１３の構成の一例を示すブロック図である。
【００２７】
図４に示すように、表示制御装置１３は、現在位置情報取得部１４およびナビゲーション部１５を備えることを特徴とする。その他の構成および動作は、図１の表示制御装置１と同様であるため、ここでは説明を省略する。
【００２８】
現在位置情報取得部１４は、例えばＧＰＳ（Global Positioning System）から車両の現在位置情報を取得する。ナビゲーション部１５は、現在位置情報取得部１４で取得された現在位置から、操作部９を介してユーザが入力した目的地までの経路を探索し、目的地までの経路案内を行う。
【００２９】
図５は、表示制御装置１，１３のハードウェア構成の一例を示す図である。
【００３０】
表示制御装置１，１３における操作入力部２、データ取得部３、制御部４、内部コンテンツ生成部５、通信インタフェース部６、表示データ生成部７、表示インタフェース部８、現在位置情報取得部１４、およびナビゲーション部１５の各機能は、処理回路により実現される。すなわち、表示制御装置１は、データベース１０から内部コンテンツを生成するためのデータを取得し、表示制御装置１の全体を制御し、内部コンテンツを生成し、通信端末１１と通信を行い、表示データを生成し、表示データを表示器１２に出力するための処理回路を備える。また、表示制御装置１３は、データベース１０から内部コンテンツを生成するためのデータを取得し、表示制御装置１３の全体を制御し、内部コンテンツを生成し、通信端末１１と通信を行い、表示データを生成し、表示データを表示器１２に出力し、現在位置情報を取得し、経路の探索および案内を行うための処理回路を備える。処理回路は、メモリ１７に格納されるプログラムを実行するプロセッサ１６（中央処理装置、処理装置、演算装置、マイクロプロセッサ、マイクロコンピュータ、ＤＳＰ（Digital Signal Processor）ともいう）である。
【００３１】
表示制御装置１，１３における操作入力部２、データ取得部３、制御部４、内部コンテンツ生成部５、通信インタフェース部６、表示データ生成部７、表示インタフェース部８、現在位置情報取得部１４、およびナビゲーション部１５の各機能は、ソフトウェア、ファームウェア、またはソフトウェアとファームウェアとの組み合わせにより実現される。ソフトウェアまたはファームウェアは、プログラムとして記述され、メモリ１７に格納される。処理回路は、メモリ１７に記憶されたプログラムを読み出して実行することにより、各部の機能を実現する。すなわち、表示制御装置１は、データベース１０から内部コンテンツを生成するためのデータを取得するステップ、表示制御装置１の全体を制御するステップ、内部コンテンツを生成するステップ、通信端末１１と通信を行うステップ、表示データを生成するステップ、表示データを表示器１２に出力するステップが結果的に実行されることになるプログラムを格納するためのメモリ１７を備える。また、表示制御装置１３は、データベース１０から内部コンテンツを生成するためのデータを取得するステップ、表示制御装置１３の全体を制御するステップ、内部コンテンツを生成するステップ、通信端末１１と通信を行うステップ、表示データを生成するステップ、表示データを表示器１２に出力するステップ、現在位置情報を取得するステップ、経路の探索および案内を行うステップが結果的に実行されることになるプログラムを格納するためのメモリ１７を備える。また、これらのプログラムは、操作入力部２、データ取得部３、制御部４、内部コンテンツ生成部５、通信インタフェース部６、表示データ生成部７、表示インタフェース部８、現在位置情報取得部１４、およびナビゲーション部１５の手順または方法をコンピュータに実行させるものであるともいえる。ここで、メモリとは、例えば、ＲＡＭ（Random Access Memory）、ＲＯＭ（Read Only Memory）、フラッシュメモリ、ＥＰＲＯＭ（Erasable Programmable Read Only Memory）、ＥＥＰＲＯＭ（Electrically Erasable Programmable Read Only Memory）等の不揮発性または揮発性の半導体メモリ、磁気ディスク、フレキシブルディスク、光ディスク、コンパクトディスク、ミニディスク、ＤＶＤ（Digital Versatile Disk）等が該当する。
【００３２】
次に、本実施の形態１による表示制御装置１３および通信端末１１の動作について、図６〜図８を用いて説明する。なお、以下では、単に通信端末１１と記載している場合は、通信端末１１Ａ〜１１Ｃを含むものとする。
【００３３】
図６は、表示制御装置１３の動作の一例を示すフローチャートである。
【００３４】
ステップＳ１０１において、制御部４は、検索を開始する。具体的には、制御部４は、例えば図８に示すようなグルメスポット検索に関するソフトウェアを起動し、検索画面を表示器１２に表示する。そして、ユーザが操作部９を介して「ＯＫ」を選択することによって検索（図８の例では、グルメスポット検索）を開始する。なお、グルメスポット検索に関するソフトウェアは、制御部４が有している。
【００３５】
ステップＳ１０２において、制御部４は、表示制御装置１３と通信接続可能な通信端末１１が存在するか否かの判断を行う。具体的には、制御部４は、通信インタフェース部６を介して、通信端末１１に対して通信接続の要求を行う要求信号を発信し、当該要求信号に対する応答信号を受信した場合に通信接続可能な通信端末１１が存在すると判断する。なお、制御部４は、予め登録された電話番号の通信端末１１に対して要求信号を送信するようにしてもよい。通信接続可能な通信端末１１が存在する場合は、ステップＳ１０３に移行する。一方、通信接続可能な通信端末１１が存在しない場合は、ステップＳ１０５に移行する。
【００３６】
ステップＳ１０３において、制御部４は、通信端末１１に対して検索を依頼する。図８の例では、制御部４は、通信インタフェース部６を介して、通信端末１１Ａに対してグルメスポットの検索を依頼する。
【００３７】
具体的には、制御部４は、予め定められた検索条件で検索するように通信端末１１Ａに依頼する。例えば、現在位置から半径１０ｋｍの範囲内に存在するグルメスポット、または目的地周辺のグルメスポットの検索等を依頼する。
【００３８】
ステップＳ１０４において、制御部４は、通信端末１１から検索結果を受信する。図８の例では、制御部４は、通信インタフェース部６を介して、通信端末１１Ａからグルメスポットの検索結果（グルメスポットとして検索された店Ａ，Ｂの情報）を外部コンテンツとして受信する。
【００３９】
その後、ステップＳ１０２に移行する。図８の例では、表示制御装置１３は、通信端末１１Ａ〜１１Ｃに対して検索を依頼し、通信端末１１Ａ〜１１Ｃから検索結果を受信している。具体的には、表示制御装置１３では、ステップＳ１０２〜ステップＳ１０４の処理を、各通信端末１１Ａ〜１１Ｃに対して繰り返し行う。なお、ステップＳ１０２において、既に検索を依頼した通信端末１１に対しては再度検索を依頼しない。図８に示すように、通信端末１１Ｂから受信した検索結果は、グルメスポットとして検索された店Ｃ，Ｄ，Ｅの情報であり、通信端末１１Ｃから受信した検索結果は、グルメスポットとして検索された店Ｆ，Ｇの情報である。
【００４０】
ステップＳ１０５において、制御部４は、図８に示すような各通信端末１１の採用率に基づいて、各通信端末１１から受信した検索結果を並べ替える。通信端末１１の採用率とは、過去に検索結果を採用した際に当該検索結果を送信した通信端末１１の割合のことをいう。通信端末１１の採用率の情報は、制御部４が有している。図８の例では、通信端末１１Ａの採用率は８０％、通信端末１１Ｂの採用率は２０％、通信端末１１Ｃの採用率は１０％である。このように、制御部４は、通信端末１１の採用率に基づいて、各通信端末１１Ａ〜１１Ｃから取得した検索結果（外部コンテンツ）からユーザにとって有用な検索結果を選択している。その後、制御部４は、選択した検索結果を表示データ生成部７に出力する。
【００４１】
一方、データ取得部３は、制御部４の制御によって、内部コンテンツを生成するために必要なデータをデータベース１０から取得し、内部コンテンツ生成部５に出力する。内部コンテンツ生成部５は、データ取得部３から入力されたデータに基づいて内部コンテンツを生成して表示データ生成部７に出力する。なお、内部コンテンツ生成部５が内部コンテンツを生成するタイミングは、ステップＳ１０１よりも前のタイミングであってもよく、ステップＳ１０１〜ステップＳ１０５のいずれかのタイミングであってもよい。
【００４２】
表示データ生成部７は、内部コンテンツ生成部５で生成された内部コンテンツの対応する箇所に、制御部４で選択された外部コンテンツを統合させて表示データを生成する。内部コンテンツに外部コンテンツを統合させる位置は、制御部４の制御により決定される。
【００４３】
表示データ生成部７で生成された表示データは、表示インタフェース部８を介して表示器１２に表示される。図８の例では、地図上に３つ店を示すアイコンが表示されるとともに、当該３つの店の名称の一覧（店Ａ，店Ｂ，店Ｃ）が表示されている。ここで、地図および当該地図上の３つの店のアイコンは内部コンテンツに対応し、３つの店の名称の一覧は外部コンテンツに対応している。一覧には、通信端末１１の採用率に基づく３つの店の名称、すなわち採用率が高い通信端末１１で検索した上位３つの店名が表示される。
【００４４】
図７は、通信端末１１の動作の一例を示すフローチャートである。
【００４５】
ステップＳ２０１において、通信端末１１は、表示制御装置１３から検索の依頼を受信する。
【００４６】
ステップＳ２０２において、通信端末１１は、検索アプリを有しているか否かの判断を行う。検索アプリとは、表示制御装置１３から依頼を受けた検索を行うためのアプリケーションソフトのことをいう。検索アプリを有している場合は、ステップＳ２０３に移行する。一方、検索アプリを有していない場合は、ステップＳ２０５に移行する。なお、通信端末１１が検索アプリを有していない場合は、検索できなかった旨を表示制御装置１３に送信してもよい。また、表示制御装置１３は、通信端末１１から予め定められた時間が経過しても検索結果を受信することができない場合において、通信端末１１は検索できなかったと判断してもよい。
【００４７】
ステップＳ２０３において、通信端末１１は、検索アプリを起動して検索を開始する。図８の例では、グルメスポットの検索アプリを起動して検索を開始し、検索結果を取得する。なお、通信端末１１は、外部から検索結果を取得してもよく、検索アプリ内で検索した結果を検索結果として取得してもよい。
【００４８】
ステップＳ２０４において、通信端末１１は、検索結果を外部コンテンツとして表示制御装置１３に送信する。具体的には、各通信端末１１Ａ〜１１Ｃは、例えば図８に示すような検索結果を表示制御装置１３に送信する。このとき、検索結果には、店の位置等、店に関する情報が含まれている。
【００４９】
ステップＳ２０５において、通信端末１１は、当該通信端末１１の電源がＯＦＦか否かの判断を行う。電源がＯＦＦでない場合は、ステップＳ２０１に移行する。一方、電源がＯＦＦの場合は、処理を終了する。
【００５０】
上記より、表示制御装置１３は、通信端末１１の採用率に基づいて、通信端末１１から得られた検索結果から有用な検索結果を選択してユーザに提示することが可能となる。
【００５１】
＜変形例＞
次に、表示制御装置１３の動作の変形例（変形例１〜４）について説明する。なお、表示制御装置１３の基本的な動作は図６と同様であり、通信端末１１の基本的な動作は図７と同様である。
【００５２】
＜変形例１＞
図９は、変形例１による表示制御装置１３および通信端末１１の動作の他の一例を示す図である。
【００５３】
変形例１では、制御部４が、図６のステップＳ１０５において、各通信端末１１が検索に用いた検索アプリの採用率に基づいて、各通信端末１１から受信した検索結果を並べ替えることを特徴としている。その他の動作は、図６と同様である。
【００５４】
図９の例では、通信端末１１Ａは検索アプリＡ，Ｂを有し、通信端末１１Ｂは検索アプリＢを有し、通信端末１１Ｃは検索アプリＣを有している。各通信端末１１は、表示制御装置１３から検索の依頼を受信すると、図７の動作を行う。なお、通信端末１１Ａは、２つの検索アプリＡ，Ｂを有しているため、図７のステップＳ２０３およびステップＳ２０４の処理を２回繰り返す。
【００５５】
表示制御装置１３は、各通信端末１１から検索結果を受信すると、当該検索結果を検索アプリの採用率に基づいて並べ替える。検索アプリの採用率とは、過去に検索結果を採用した際に用いられた検索アプリの割合のことをいう。検索アプリの採用率の情報は、制御部４が有している。図９の例では、検索アプリＡの採用率は８０％、検索アプリＢの採用率は２０％、検索アプリＣの採用率は１０％である。このように、制御部４は、検索アプリの採用率に基づいて、各通信端末１１Ａ〜１１Ｃから取得した検索結果（外部コンテンツ）からユーザにとって有用な検索結果を選択している。その後、制御部４は、選択した検索結果を表示データ生成部７に出力する。
【００５６】
表示データ生成部７で生成された表示データは、表示インタフェース部８を介して表示器１２に表示される。図９の例では、地図上に３つの店を示すアイコンが表示されるとともに、当該３つの店の名称の一覧（店Ａ，店Ｂ，店Ｃ）が表示されている。ここで、地図および当該地図上の３つの店のアイコンは内部コンテンツに対応し、３つの店の名称の一覧は外部コンテンツに対応している。一覧には、検索アプリの採用率に基づく３つの店の名称、すなわち採用率が高い検索アプリで検索した上位３つの店名が表示される。
【００５７】
上記より、表示制御装置１３は、検索アプリの採用率に基づいて、通信端末１１から得られた検索結果から有用な検索結果を選択してユーザに提示することが可能となる。
【００５８】
＜変形例２＞
図１０は、変形例２による表示制御装置１３および通信端末１１の動作の他の一例を示す図である。
【００５９】
変形例２では、制御部４が、図６のステップＳ１０５において、各通信端末１１間の検索結果の重複率に基づいて、各通信端末１１から受信した検索結果を並べ替えることを特徴としている。その他の動作は、図６と同様である。
【００６０】
図１０の例では、通信端末１１Ａは検索アプリＡ，Ｂを有し、通信端末１１Ｂは検索アプリＢを有し、通信端末１１Ｃは検索アプリＣを有している。各通信端末１１は、表示制御装置１３から検索の依頼を受信すると、図７の動作を行う。なお、通信端末１１Ａは、２つの検索アプリＡ，Ｂを有しているため、図７のステップＳ２０３およびステップＳ２０４の処理を２回繰り返す。
【００６１】
表示制御装置１３は、各通信端末１１から検索結果を受信すると、当該検索結果を各通信端末１１間の検索結果の重複率に基づいて並べ替える。各通信端末１１間の検索結果の重複率とは、各通信端末１１で検索アプリによって検索された検索結果が各通信端末１１間で重複する割合のことをいう。各通信端末１１間の検索結果の重複率の情報は、制御部４が有している。図１０の例では、店Ｄの重複率は１００％（通信端末１１Ａ〜１１Ｃの全てで店Ｄが検索された）、店Ｃの重複率は６７％（通信端末１１Ａ，１１Ｂで店Ｃが検索された）である。また、その他の店Ａ，Ｂ，Ｅの重複率は０％である。このように、制御部４は、各通信端末１１間の検索結果の重複率に基づいて、各通信端末１１から取得した検索結果（外部コンテンツ）からユーザにとって有用な検索結果を選択している。その後、制御部４は、選択した検索結果を表示データ生成部７に出力する。
【００６２】
表示データ生成部７で生成された表示データは、表示インタフェース部８を介して表示器１２に表示される。図１０の例では、地図上に２つの店を示すアイコンが表示されるとともに、当該２つの店の名称の一覧（店Ｄ，店Ｃ）が表示されている。ここで、地図および当該地図上の２つの店のアイコンは内部コンテンツに対応し、２つの店の名称の一覧は外部コンテンツに対応している。一覧には、各通信端末１１間の検索結果の重複率に基づく２つの店の名称、すなわち重複率が高い検索アプリで検索した上位２つの店名が表示される。
【００６３】
上記より、表示制御装置１３は、各通信端末１１間の検索結果の重複率に基づいて、通信端末１１から得られた検索結果から有用な検索結果を選択してユーザに提示することが可能となる。
【００６４】
なお、図１０では、各通信端末１１間の検索結果の重複率を採用する場合について説明したが、これに限るものではない。例えば、各検索アプリの検索結果の重複率を採用してもよい。
【００６５】
＜変形例３＞
図１１は、変形例３による表示制御装置１３および通信端末１１の動作の他の一例を示す図である。
【００６６】
変形例３では、制御部４が、図６のステップＳ１０５において、各通信端末１１に応じた役割に基づいて、各通信端末１１から受信した検索結果を並べ替えることを特徴としている。その他の動作は、図６と同様である。
【００６７】
図１１の例では、各通信端末１１は、表示制御装置１３から検索の依頼を受信すると、図７の動作を行う。このとき、各通信端末１１は、検索アプリで検索するが、各通信端末１１が有している検索アプリの種類および数は任意である。
【００６８】
表示制御装置１３は、各通信端末１１から検索結果を受信すると、当該検索結果を各通信端末１１に応じた役割に基づいて並べ替える。各通信端末１１に応じた役割とは、予め各通信端末１１に割り当てた検索の役割のことをいう。各通信端末１１に応じた役割の情報は、制御部４が有している。図１１の例では、通信端末１１Ａの役割はラーメンの店を検索することであり、通信端末１１Ｂの役割はイタリアンの店を検索することであり、通信端末１１Ｃは寿司の店を検索することを示している。このように、制御部４は、各通信端末１１に応じた役割に基づいて、各通信端末１１から取得した検索結果（外部コンテンツ）からユーザにとって有用な検索結果を選択している。その後、制御部４は、選択した検索結果を表示データ生成部７に出力する。
【００６９】
表示データ生成部７で生成された表示データは、表示インタフェース部８を介して表示器１２に表示される。図１１の例では、ユーザがラーメンの店を表示することを選択した場合を示しており、地図上に２つのラーメンの店を示すアイコンが表示されるとともに、当該２つの店の名称の一覧（店Ａ，店Ｂ）が表示されている。ここで、地図および当該地図上の２つの店のアイコンは内部コンテンツに対応し、２つの店の名称の一覧は外部コンテンツに対応している。一覧には、各通信端末１１に応じた役割に基づく２つの店の名称、すなわちユーザが選択したラーメンの店を検索することが役割である通信端末１１Ａで検索した２つのラーメンの店名が表示される。
【００７０】
上記より、表示制御装置１３は、各通信端末１１に応じた役割に基づいて、通信端末１１から得られた検索結果から有用な検索結果を選択してユーザに提示することが可能となる。
【００７１】
なお、上記では、表示制御装置１３は、各通信端末１１で検索された全ての検索結果を取得し、当該取得した検索結果から各通信端末１１に応じた役割に基づいて通信端末１１Ａが検索したラーメンの店を選択する場合について説明したが、これに限るものではない。例えば、表示制御装置１３は、各通信端末１１で検索されたラーメンの店の情報を検索結果として取得し、当該取得した検索結果から各通信端末１１に応じた役割に基づいて通信端末１１Ａが検索したラーメンの店を選択するようにしてもよい。この場合、表示制御装置１３から各通信端末１１に対する検索の依頼には、ラーメンの店を検索する旨の検索条件が含まれている。
【００７２】
＜変形例４＞
図１２は、変形例４による表示制御装置１３および通信端末１１の動作の他の一例を示す図である。なお、変形例４では、操作部９はタッチパネルまたはタッチパッドであるものとする。
【００７３】
変形例４では、図８〜図１１のように検索結果をすぐに表示器１２に表示させるのではなく、ユーザの意思に従って検索結果の表示または非表示を行うことを特徴としている。すなわち、変形例４では、図６のステップＳ１０５の後の動作に特徴を有している。その他の動作は、図６，７と同様である。
【００７４】
図６のステップＳ１０５において、制御部４は、図８〜１１のいずれかの動作によって、通信端末１１から取得した検索結果を並び替えて選択する。その後、制御部４は、図８〜１１のように、すぐに選択した検索結果を表示データ生成部７に出力しない。すなわち、表示器１２には、内部コンテンツ生成部５で生成された内部コンテンツのみが表示されている。このような状態で、ユーザが表示器１２に表示される内部コンテンツの任意の箇所をなぞる操作を行うと、制御部４は、図６のステップＳ１０５で選択した検索結果を表示データ生成部７に出力する。
【００７５】
表示データ生成部７で生成された表示データは、表示インタフェース部８を介して表示器１２に表示される。図１２の例では、ユーザがなぞった個所に店を示すアイコンが表示される。また、ユーザが再度同じ個所をなぞると、店のアイコンが非表示となる。
【００７６】
上記より、表示制御装置１３は、通信端末１１から得られた検索結果から有用な検索結果を選択してユーザに提示することが可能になるとともに、ユーザの意思に従って検索結果の表示または非表示を行うことができる。
【００７７】
なお、上記では、表示器１２に店のアイコンを表示する場合について説明したが、これに限るものではない。例えば、図８〜図１１に示すような店の一覧のみを表示するようにしてもよく、アイコンおよび一覧の両方を表示するようにしてもよい。
【００７８】
上記において、通信端末１１の画面をさすると、当該さすった通信端末１１の検索結果を表示器１２に表示するようにしてもよい。例えば、通信端末１１Ａの画面をさすると店Ａ，Ｂを表示器１２に表示するようにしてもよい。
【００７９】
実施の形態１では、表示制御装置１３の動作を一例として説明したが、表示制御装置１についても同様である。ただし、表示制御装置１は、表示制御装置１３のように現在位置情報取得部１４およびナビゲーション部１５を備えていないため、ステップＳ１０３における検索の依頼時に現在位置または目的地周辺のグルメスポットの検索を依頼することができないが、例えば特定の位置またはエリアを指定した検索等を依頼することができる。
【００８０】
図８〜図１１の例では、表示器１２には、内部コンテンツと外部コンテンツを表示しているが、これに限るものではない。例えば、外部コンテンツ（店の一覧）のみを表示器１２に表示するようにしてもよい。
【００８１】
＜実施の形態２＞
まず、本発明の実施の形態２による表示制御装置の構成について説明する。
【００８２】
図１３は、本実施の形態２による表示制御装置１８の構成の一例を示すブロック図である。
【００８３】
図１３に示すように、表示制御装置１８は、外部情報取得部１９を備えることを特徴としている。その他の構成は、実施の形態１による表示制御装置１３（図４参照）と同様であるため、ここでは説明を省略する。
【００８４】
外部情報取得部１９は、例えば交通情報または災害情報等、外部から種々の情報を取得する。
【００８５】
表示制御装置１８における外部情報取得部１９の機能は、処理回路により実現される。すなわち、表示制御装置１８は、外部情報を取得するための処理回路を備える。処理回路は、メモリ１７に格納されるプログラムを実行するプロセッサ１６（中央処理装置、処理装置、演算装置、マイクロプロセッサ、マイクロコンピュータ、ＤＳＰ（Digital Signal Processor）ともいう）である（図５参照）。なお、表示制御装置１８における他の構成要素については、実施の形態１による表示制御装置１３（図４参照）と同様である。
【００８６】
表示制御装置１８における外部情報取得部１９の機能は、ソフトウェア、ファームウェア、またはソフトウェアとファームウェアとの組み合わせにより実現される。ソフトウェアまたはファームウェアは、プログラムとして記述され、メモリ１７に格納される（図５参照）。処理回路は、メモリ１７に記憶されたプログラムを読み出して実行することにより、外部情報取得部１９の機能を実現する。すなわち、表示制御装置１８は、外部情報を取得するステップが結果的に実行されることになるプログラムを格納するためのメモリ１７を備える。また、このプログラムは、外部情報取得部１９の手順または方法をコンピュータに実行させるものであるともいえる。ここで、メモリとは、例えば、ＲＡＭ、ＲＯＭ、フラッシュメモリ、ＥＰＲＯＭ（Erasable Programmable Read Only Memory）、ＥＥＰＲＯＭ（Electrically Erasable Programmable Read Only Memory）等の不揮発性または揮発性の半導体メモリ、磁気ディスク、フレキシブルディスク、光ディスク、コンパクトディスク、ミニディスク、ＤＶＤ（Digital Versatile Disk）等が該当する。なお、表示制御装置１８における他の構成要素については、実施の形態１による表示制御装置１３（図４参照）と同様である。
【００８７】
次に、本実施の形態２による表示制御装置１８および通信端末１１の動作について、図１４〜図１８を用いて説明する。
【００８８】
図１４は、表示制御装置１８の動作の一例を示すフローチャートである。
【００８９】
ステップＳ３０１において、制御部４は、現在位置から目的地までの経路の案内を開始する。具体的には、ユーザが、例えば表示器１２に表示されたメニュー画面から操作部９を介して経路の案内を開始する旨の操作を行うことによって経路の案内を開始する。
【００９０】
ステップＳ３０２において、制御部４は、現在位置周辺の地図を表示器１２に表示する。具体的には、データ取得部３は、制御部４の指示に従って、現在位置情報取得部１４で取得された現在位置周辺の地図データをデータベース１０から取得する。データ取得部３で取得された地図データは、内部コンテンツ生成部５で内部コンテンツとして生成され、表示データ生成部７に出力される。表示データ生成部７は、内部コンテンツ生成部５で生成された内部コンテンツ（すなわち、現在位置周辺の地図）に基づいて表示データを生成し、表示インタフェース部８を介して表示器１２に表示する。
【００９１】
ステップＳ３０３において、ナビゲーション部１５は、現在位置から目的地までの経路を案内する。具体的には、ナビゲーション部１５は、現在位置情報取得部１４で取得した現在位置からユーザが設定した目的地までの経路を探索し、当該経路の案内を行う。
【００９２】
ステップＳ３０４において、制御部４は、外部情報取得部１９が外部から情報を取得（受信）したか否かの判断を行う。外部情報取得部１９が情報を取得した場合は、ステップＳ３０５に移行する。一方、外部情報取得部１９が情報を取得しない場合は、ステップＳ３１０に移行する。
【００９３】
ステップＳ３０５において、制御部４は、外部情報取得部１９が取得した情報の優先度が高いか否かの判断を行う。情報の優先度とは、表示器１２に表示する情報の優先度のことをいい、例えば通常の地図よりもナビゲーション部１５による案内情報の方が優先度が高く、案内情報の方がＶＩＣＳ（登録商標）情報よりも優先度が高い。また、地震情報等の災害情報は最も優先度が高い。このような優先度の情報は、制御部４が有している。情報の優先度が高い場合は、ステップＳ３０６に移行する。一方、情報の優先度が高くない場合は、ステップＳ３０７に移行する。
【００９４】
例えば、図１６に示すように、交差点を左折する際にナビゲーション部１５が左折の案内を行っており、このとき外部情報取得部１９がＶＩＣＳ情報を取得した場合において、制御部４は、ナビゲーション部１５による案内情報と、外部情報取得部１９が取得したＶＩＣＳ情報とのうち、案内情報の方が優先度が高いと判断する。
【００９５】
ステップＳ３０６において、制御部４は、外部情報取得部１９が取得した情報を外部コンテンツとして表示器１２に表示するように表示データ生成部７を制御する。図１６の例では、左折の案内を示す案内情報が表示器１２に表示される。
【００９６】
ステップＳ３０７において、制御部４は、外部情報取得部１９が取得した情報を表示器１２に表示する必要があるか否かの判断を行う。情報を表示器１２に表示する必要がある場合は、ステップＳ３０８に移行する。一方、情報を表示器１２に表示する必要がない場合は、ステップＳ３０９に移行する。
【００９７】
図１６の例では、外部情報取得部１９が取得したＶＩＣＳ情報を表示器１２に表示する必要があるか否かの判断を行う。例えば、ＶＩＣＳ情報が文字情報である場合は、運転者が当該文字情報を読む必要があるため煩わしい。従って、制御部４は、ＶＩＣＳ情報が文字情報である場合は、表示器１２に表示する必要はないと判断する。一方、制御部４は、ＶＩＣＳ情報が図形情報である場合は、運転者は瞬時に情報の内容を把握することができるため、表示器１２に表示する必要があると判断する。
【００９８】
ステップＳ３０８において、制御部４は、外部情報取得部１９が取得した情報を外部コンテンツとして表示器１２に表示するように表示データ生成部７を制御する。例えば、ステップＳ３０５で優先度が低いと判断されたが運転に影響を与えない情報であれば、表示器１２に表示するように表示データ生成部７を制御する。
【００９９】
ステップＳ３０９において、制御部４は、通信インタフェース部６を介して、通信端末１１に外部情報取得部１９が取得した情報の表示を依頼する。
【０１００】
ステップＳ３１０において、制御部４は、目的地に到着したか否かの判断を行う。目的地に到着した場合は、処理を終了する。一方、目的地に到着していない場合は、ステップＳ３０２に移行し、以降、ステップＳ３０２〜ステップＳ３１０の処理を繰り返す。
【０１０１】
図１５は、通信端末１１の動作の一例を示すフローチャートである。
【０１０２】
ステップＳ４０１において、通信端末１１は、表示制御装置１８から情報を受信した否かの判断を行う。具体的には、通信端末１１は、表示制御装置１８から図１４のステップＳ３０９における依頼を受けたか否かの判断を行う。情報を受信した場合は、ステップＳ４０２に移行する。一方、情報を受信しなかった場合は、ステップＳ４０１の処理を繰り返す。
【０１０３】
ステップＳ４０２において、通信端末１１は、表示制御装置１８から受信した情報を表示する。図１６の例では、通信端末１１は、ＶＩＣＳ情報を表示している。
【０１０４】
ステップＳ４０３において、通信端末１１は、当該通信端末１１の電源がＯＦＦか否かの判断を行う。電源がＯＦＦでない場合は、ステップＳ４０１に移行する。一方、電源がＯＦＦの場合は、処理を終了する。
【０１０５】
上記より、表示制御装置１８は、有用な情報を選択してユーザに提示することができる。また、表示器１２に表示しないと判断した情報を通信端末１１に表示することによって、同乗者が当該情報を把握して運転者に口頭で伝える等することができる。
【０１０６】
なお、上記では、表示制御装置１８の外部情報取得部１９が外部の情報を取得する場合について説明したが、これに限るものではない。例えば、通信端末１１が外部情報取得部１９と同じ機能を有していてもよい。この場合、通信端末１１は、外部から取得した情報に対して図１４のステップＳ３０５の処理を行い、優先度が高い情報であると判断した場合は、当該情報を表示制御装置１８に送信する。そして、表示制御装置１８は、通信端末１１から受信した優先度が高い情報を表示器１２に表示するように制御する。
【０１０７】
図１７，１８は、上記の他の一例を示す図である。
【０１０８】
図１７では、通信端末１１が災害情報である地震情報を受信した場合について示している。地震情報は、優先度が最も高い情報であるため、通信端末１１は地震情報を表示制御装置１８に送信する。表示制御装置１８は、受信した地震情報を表示器１２に表示するように制御する。
【０１０９】
図１８の例では、通信端末１１がグルメスポットの情報を有している場合について示している。この場合、通信端末１１は、通信端末１１が有しているグルメスポットのうち表示制御装置１８にとって有用なグルメスポットがある場合は、当該グルメスポットの情報を表示制御装置１８に送信する。表示制御装置１８にとって有用なグルメスポットとしては、例えば現在位置周辺のグルメスポット等が挙げられる。表示制御装置１８は、通信端末１１から受信したグルメスポットを表示器１２に表示するように制御する。このとき、表示器１２において、表示制御装置１８が有しているグルメスポット（内部コンテンツ）と、通信端末１１から受信したグルメスポット（外部コンテンツ）とを区別して表示するようにしてもよい。
【０１１０】
以上で説明した表示制御装置は、車載用ナビゲーション装置、すなわちカーナビゲーション装置だけでなく、車両に搭載可能なＰＮＤ（Portable Navigation Device）および携帯通信端末（例えば、携帯電話、スマートフォン、およびタブレット端末など）、並びにサーバなどを適宜に組み合わせてシステムとして構築されるナビゲーション装置あるいはナビゲーション装置以外の装置にも適用することができる。この場合、表示制御装置の各機能あるいは各構成要素は、上記システムを構築する各機能に分散して配置される。
【０１１１】
具体的には、一例として、表示制御装置の機能をサーバに配置することができる。例えば、図１９に示すように、ユーザ側に操作部９および表示器１２を備え、サーバ２０に図１に示す操作入力部２、データ取得部３、制御部４、内部コンテンツ生成部５、通信インタフェース部６、表示データ生成部７、および表示インタフェース部８を各々備えることによって、表示制御システムを構築することができる。なお、サーバ２０に備えられる各構成要素は、適宜に通信端末１１および表示器１２に分散して配置するようにしてもよい。また、図４，１３に示す各構成要素についても同様である。
【０１１２】
上記の構成とした場合であっても、上記の実施の形態と同様の効果が得られる。
【０１１３】
また、上記の実施の形態における動作を実行するソフトウェア（表示制御方法）を、例えばサーバや通信端末に組み込んでもよい。
【０１１４】
具体的には、一例として、上記の表示制御方法は、通信端末と通信接続可能な表示制御装置の表示制御方法であって、通信端末と通信を行い、内部コンテンツを生成するためのデータを取得し、取得したデータに基づいて内部コンテンツを生成し、表示制御装置に接続可能な表示器に表示する表示データを生成し、内部コンテンツと同一または関連するカテゴリの外部コンテンツを通信端末から取得するように制御し、予め定められた条件で選択した外部コンテンツを内部コンテンツに統合させた表示データを生成するように制御する。
【０１１５】
上記より、上記の実施の形態における動作を実行するソフトウェアをサーバまたは通信端末に組み込んで動作させることによって、上記の実施の形態と同様の効果が得られる。
【０１１６】
なお、実施の形態１，２において、グルメスポットの検索は、通信端末１１だけでなく表示制御装置１，１３，１８で行ってよい。この場合、表示制御装置１，１３，１８は、通信端末１１と同様の検索機能を有している。また、検索の対象は、グルメスポットだけでなく、映画館または遊園地等の施設（ＰＯＩ）、目的地までの経路の種類（距離優先、料金優先等）、音楽（クラシック、ロック等）、経路案内の方法（図形を用いた案内、音声案内等）であってもよい。ＰＯＩ、経路、および音楽は、通信端末１１から送信される外部コンテンツである。
【０１１７】
検索の結果は、表示器１２だけでなく、通信端末１１に表示してもよい。検索結果を表示する際に、表示制御装置１，１３，１８の検索結果と、通信端末１１の検索結果とが混在する場合は、各々が区別可能なように表示してもよい。検索結果のうち、例えば優先度が高い、またはより有用な情報については強調して表示してもよい。表示器１２または通信端末１１が３Ｄ表示を行う場合は、奥行きを利用して、優先度が高い情報を手前側に表示するようにしてもよい。
【０１１８】
なお、本発明は、その発明の範囲内において、各実施の形態を自由に組み合わせたり、各実施の形態を適宜、変形、省略することが可能である。
【０１１９】
本発明は詳細に説明されたが、上記した説明は、すべての態様において、例示であって、この発明がそれに限定されるものではない。例示されていない無数の変形例が、この発明の範囲から外れることなく想定され得るものと解される。
【符号の説明】
【０１２０】
１  表示制御装置、２  操作入力部、３  データ取得部、４  制御部、５  内部コンテンツ生成部、６  通信インタフェース部、７  表示データ生成部、８  表示インタフェース部、９  操作部、１０  データベース、１１  通信端末、１２  表示器、１３  表示制御装置、１４  現在位置情報取得部、１５  ナビゲーション部、１６  プロセッサ、１７  メモリ、１８  表示制御装置、１９  外部情報取得部、２０  サーバ。
【図１】
2016207996.tif 000003
【図２】
2016207996.tif 000004
【図３】
2016207996.tif 000005
【図４】
2016207996.tif 000006
【図５】
2016207996.tif 000007
【図６】
2016207996.tif 000008
【図７】
2016207996.tif 000009
【図８】
2016207996.tif 000010
【図９】
2016207996.tif 000011
【図１０】
2016207996.tif 000012
【図１１】
2016207996.tif 000013
【図１２】
2016207996.tif 000014
【図１３】
2016207996.tif 000015
【図１４】
2016207996.tif 000016
【図１５】
2016207996.tif 000017
【図１６】
2016207996.tif 000018
【図１７】
2016207996.tif 000019
【図１８】
2016207996.tif 000020
【図１９】
2016207996.tif 000021
【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
通信端末と通信接続可能な表示制御装置であって、
前記通信端末と通信を行う通信インタフェース部と、
内部コンテンツを生成するためのデータを取得するデータ取得部と、
前記データ取得部で取得された前記データに基づいて前記内部コンテンツを生成する内部コンテンツ生成部と、
前記表示制御装置に接続可能な表示器に表示する表示データを生成する表示データ生成部と、
前記内部コンテンツと同一または関連するカテゴリの外部コンテンツを前記通信端末から取得するように前記通信インタフェース部を制御し、予め定められた条件で選択した前記外部コンテンツを前記内部コンテンツに統合させた前記表示データを生成するように前記表示データ生成部を制御する制御部と、
を備え、
前記制御部は、前記外部コンテンツに含まれる情報のうちの優先度が高い情報を強調するように前記表示データ生成部を制御することを特徴とする、表示制御装置。
【請求項２】
通信端末と通信接続可能な表示制御装置であって、
前記通信端末と通信を行う通信インタフェース部と、
内部コンテンツを生成するためのデータを取得するデータ取得部と、
前記データ取得部で取得された前記データに基づいて前記内部コンテンツを生成する内部コンテンツ生成部と、
前記表示制御装置に接続可能な表示器に表示する表示データを生成する表示データ生成部と、
前記内部コンテンツと同一または関連するカテゴリの外部コンテンツを前記通信端末から取得するように前記通信インタフェース部を制御し、予め定められた条件で選択した前記外部コンテンツを前記内部コンテンツに統合させた前記表示データを生成するように前記表示データ生成部を制御する制御部と、
を備え、
前記通信端末は複数であることを特徴とする、表示制御装置。
【請求項３】
通信端末と通信接続可能な表示制御装置であって、
前記通信端末と通信を行う通信インタフェース部と、
内部コンテンツを生成するためのデータを取得するデータ取得部と、
前記データ取得部で取得された前記データに基づいて前記内部コンテンツを生成する内部コンテンツ生成部と、
前記表示制御装置に接続可能な表示器に表示する表示データを生成する表示データ生成部と、
前記内部コンテンツと同一または関連するカテゴリの外部コンテンツを前記通信端末から取得するように前記通信インタフェース部を制御し、予め定められた条件で選択した前記外部コンテンツを前記内部コンテンツに統合させた前記表示データを生成するように前記表示データ生成部を制御する制御部と、
を備え、
前記予め定められた条件は、前記外部コンテンツを検索するアプリケーションソフトの採用率であることを特徴とする、表示制御装置。
【請求項４】
前記制御部は、前記外部コンテンツを前記内部コンテンツの対応する位置に統合させて表示するように前記表示データ生成部を制御することを特徴とする、請求項１から３のいずれか１項に記載の表示制御装置。
【請求項５】
前記制御部は、前記内部コンテンツと前記外部コンテンツとを区別可能に視認できるように前記表示データ生成部を制御することを特徴とする、請求項１から３のいずれか１項に記載の表示制御装置。
【請求項６】
前記制御部は、前記外部コンテンツに含まれる情報のうちの優先度が高い情報を強調するように前記表示データ生成部を制御することを特徴とする、請求項２または３に記載の表示制御装置。
【請求項７】
前記通信端末は複数であることを特徴とする、請求項１または３に記載の表示制御装置。
【請求項８】
前記予め定められた条件は、前記通信端末の採用率であることを特徴とする、請求項２に記載の表示制御装置。
【請求項９】
前記予め定められた条件は、前記外部コンテンツを検索するアプリケーションソフトの採用率であることを特徴とする、請求項１または２に記載の表示制御装置。
【請求項１０】
前記予め定められた条件は、アプリケーションソフトによって検索された前記外部コンテンツが各前記通信端末間で重複する割合であることを特徴とする、請求項２に記載の表示制御装置。
【請求項１１】
前記外部コンテンツは、ＰＯＩ、現在位置から目的地までの経路、または音楽のうちのいずれかであることを特徴とする、請求項１から３のいずれか１項に記載の表示制御装置。
【請求項１２】
前記制御部は、ユーザが指示した箇所のみに前記外部コンテンツを表示するように前記表示データ生成部を制御することを特徴とする、請求項１から３のいずれか１項に記載の表示制御装置。
【請求項１３】
外部の情報である外部情報を取得する外部情報取得部をさらに備え、
前記制御部は、前記外部情報取得部で取得された前記外部情報を前記表示器に表示しない場合において、前記外部情報を前記通信端末に送信するように前記通信インタフェース部を制御することを特徴とする、請求項１から３のいずれか１項に記載の表示制御装置。
【請求項１４】
通信端末と通信接続可能な表示制御装置の表示制御方法であって、
前記通信端末と通信を行い、
内部コンテンツを生成するためのデータを取得し、
前記取得した前記データに基づいて前記内部コンテンツを生成し、
前記表示制御装置に接続可能な表示器に表示する表示データを生成し、
前記内部コンテンツと同一または関連するカテゴリの外部コンテンツを前記通信端末から取得するように制御し、予め定められた条件で選択した前記外部コンテンツを前記内部コンテンツに統合させた前記表示データを生成するように制御し、
前記外部コンテンツに含まれる情報のうちの優先度が高い情報を強調するように制御することを特徴とする、表示制御方法。
【請求項１５】
通信端末と通信接続可能な表示制御装置の表示制御方法であって、
前記通信端末と通信を行い、
内部コンテンツを生成するためのデータを取得し、
前記取得した前記データに基づいて前記内部コンテンツを生成し、
前記表示制御装置に接続可能な表示器に表示する表示データを生成し、
前記内部コンテンツと同一または関連するカテゴリの外部コンテンツを前記通信端末から取得するように制御し、予め定められた条件で選択した前記外部コンテンツを前記内部コンテンツに統合させた前記表示データを生成するように制御し、
前記通信端末は複数であることを特徴とする、表示制御方法。
【請求項１６】
通信端末と通信接続可能な表示制御装置の表示制御方法であって、
前記通信端末と通信を行い、
内部コンテンツを生成するためのデータを取得し、
前記取得した前記データに基づいて前記内部コンテンツを生成し、
前記表示制御装置に接続可能な表示器に表示する表示データを生成し、
前記内部コンテンツと同一または関連するカテゴリの外部コンテンツを前記通信端末から取得するように制御し、予め定められた条件で選択した前記外部コンテンツを前記内部コンテンツに統合させた前記表示データを生成するように制御し、
前記予め定められた条件は、前記外部コンテンツを検索するアプリケーションソフトの採用率であることを特徴とする、表示制御方法。
【手続補正２】
【補正対象書類名】明細書
【補正対象項目名】０００７
【補正方法】変更
【補正の内容】
【０００７】
上記の課題を解決するために、本発明による表示制御装置は、通信端末と通信接続可能な表示制御装置であって、通信端末と通信を行う通信インタフェース部と、内部コンテンツを生成するためのデータを取得するデータ取得部と、データ取得部で取得されたデータに基づいて内部コンテンツを生成する内部コンテンツ生成部と、表示制御装置に接続可能な表示器に表示する表示データを生成する表示データ生成部と、内部コンテンツと同一または関連するカテゴリの外部コンテンツを通信端末から取得するように通信インタフェース部を制御し、予め定められた条件で選択した外部コンテンツを内部コンテンツに統合させた表示データを生成するように表示データ生成部を制御する制御部とを備え、制御部は、外部コンテンツに含まれる情報のうちの優先度が高い情報を強調するように表示データ生成部を制御する。
【手続補正３】
【補正対象書類名】明細書
【補正対象項目名】０００８
【補正方法】変更
【補正の内容】
【０００８】
また、本発明による表示制御方法は、通信端末と通信接続可能な表示制御装置の表示制御方法であって、通信端末と通信を行い、内部コンテンツを生成するためのデータを取得し、取得したデータに基づいて内部コンテンツを生成し、表示制御装置に接続可能な表示器に表示する表示データを生成し、内部コンテンツと同一または関連するカテゴリの外部コンテンツを通信端末から取得するように制御し、予め定められた条件で選択した外部コンテンツを内部コンテンツに統合させた表示データを生成するように制御し、外部コンテンツに含まれる情報のうちの優先度が高い情報を強調するように制御する。
【手続補正４】
【補正対象書類名】明細書
【補正対象項目名】０００９
【補正方法】変更
【補正の内容】
【０００９】
本発明によると、表示制御装置は、通信端末と通信接続可能な表示制御装置であって、通信端末と通信を行う通信インタフェース部と、内部コンテンツを生成するためのデータを取得するデータ取得部と、データ取得部で取得されたデータに基づいて内部コンテンツを生成する内部コンテンツ生成部と、表示制御装置に接続可能な表示器に表示する表示データを生成する表示データ生成部と、内部コンテンツと同一または関連するカテゴリの外部コンテンツを通信端末から取得するように通信インタフェース部を制御し、予め定められた条件で選択した外部コンテンツを内部コンテンツに統合させた表示データを生成するように表示データ生成部を制御する制御部とを備え、制御部は、外部コンテンツに含まれる情報のうちの優先度が高い情報を強調するように表示データ生成部を制御するため、通信端末から得られた情報から有用な情報を選択してユーザに提示することが可能となる。
【手続補正５】
【補正対象書類名】明細書
【補正対象項目名】００１０
【補正方法】変更
【補正の内容】
【００１０】
また、表示制御方法は、通信端末と通信接続可能な表示制御装置の表示制御方法であって、通信端末と通信を行い、内部コンテンツを生成するためのデータを取得し、取得したデータに基づいて内部コンテンツを生成し、表示制御装置に接続可能な表示器に表示する表示データを生成し、内部コンテンツと同一または関連するカテゴリの外部コンテンツを通信端末から取得するように制御し、予め定められた条件で選択した外部コンテンツを内部コンテンツに統合させた表示データを生成するように制御し、外部コンテンツに含まれる情報のうちの優先度が高い情報を強調するように制御するため、通信端末から得られた情報から有用な情報を選択してユーザに提示することが可能となる。
【国際調査報告】
2016207996.tif 000022
2016207996.tif 000023
2016207996.tif 000024
2016207996.tif 000025